(57)【要約】【課題】カメラボディのホールド性を向上させる。【解決手段】カメラ１は、側面４ｄ側にグリップ部Ｇを有するカメラボディ２と、グリップ部Ｇの上面側に設けられるレリーズボタン１１と、電源のオンオフを切り替える可動部材１０とを備え、可動部材１０は、グリップ部Ｇの背面側に設けられ、電源をオフ状態にする収納位置と、当該収納位置よりも側面４ｄから突出し、電源をオン状態にする突出位置との間で移動可能である【選択図】図２
2006235393.tif 000002
【特許請求の範囲】
【請求項１】
筐体と、
前記筐体の上面且つ一方の側面側の略端部に配置されたレリーズボタンと、
前記筐体の側面近傍に配置されると共に、該筐体の内部又は該筐体の凹部に略収納されて電源をオフする収納位置と該筐体の側面方向に突出して電源をオンする突出位置とに移動可能な電源オンオフ切換を行う可動部材と、
前記可動部材の前記筐体の背面方向に設けられた該筐体の保持をするための第１の指載置部と、
を備える撮像装置。
【請求項２】
前記第１の指載置部は、前記レリーズボタンを操作する際に操作者の指を載置することにより前記筐体の保持を補助可能である
請求項１に記載の撮像装置。
【請求項３】
前記可動部材は、前記筐体に軸支され前記収納位置と前記突出位置とに回動可能である請求項１又は２に記載の撮像装置。
【請求項４】
前記可動部材は、前記筐体の背面側に配置された前記凹部に略収納され、
前記凹部は、該筐体の保持をするための第２の指載置部を備える
請求項１乃至３のいずれかに記載の撮像装置。
【請求項５】
前記筐体の背面側であって、且つ、前記可動部材の突出方向の該筐体の側面に近接して配置した画像表示部を備え、
前記画像表示部と該画像表示部が近接する前記筐体側面との間に前記可動部材の前記収納位置を配置した
請求項１乃至４のいずれかに記載の撮像装置。
【請求項６】
前記可動部材は、肉薄部と、前記肉薄部に連続して前記筐体の背面方向に突出した突出部と、前記突出部により形成した指掛け部と、を備えた
請求項１乃至５のいずれかに記載の撮像装置。
【請求項７】
前記可動部材は、前記筐体の内部に略収納された前記収納位置と該筐体の側面方向に突出する前記突出位置とに出没可能であると共に、該突出位置にある該可動部材の突出方向と逆方向の押し込み操作により該可動部材を該収納位置に収納保持可能であり、該収納位置にある該可動部材の該逆方向の押し込み操作により該可動部材を該突出位置に突出保持可能である出没機構を備えた
請求項１又は２に記載の撮像装置。
【発明の詳細な説明】
【技術分野】
【０００１】
本発明は、デジタルカメラ等の撮像装置に関する。
【背景技術】
【０００２】
カメラの小型化を図る一方で、カメラのホールド性を向上させるための種々の技術が開示されている。
特許文献１では、カメラボディの側面位置から背面位置へ回動可能な可動グリップを設けたカメラが開示されている。
特許文献２では、カメラボディの上方へ突出するように移動可能なストロボをグリップ部に設けたカメラが開示されている。
特許文献３では、カメラボディの下方へ突出するように移動可能な棒状のグリップを設けたカメラが開示されている。
特許文献４では、カメラボディの前面側へ突出するように移動可能なグリップ部を設けたカメラが開示されている。なお、グリップ部の移動によりカメラの電源がオンオフされる。
特許文献５では、カメラボディの側面において回動可能なグリップ部を設け、グリップ部の厚みを変化可能としたカメラが開示されている。
なお、片手でグリップできるビデオカメラにおいて、手のひらを当てる側面に、断面Ｔ字状の部材を側面から突出する方向に移動可能に設けた技術も知られている。ユーザは突出したＴ字の部材を指と指との間に挟み込むことにより、ビデオカメラを保持する。
【特許文献１】特開平１１−１５０７２号公報
【特許文献２】特開平０７−１８１５６６号公報
【特許文献３】特開平０９−５８７９号公報
【特許文献４】特開平１０−２５４０５１号公報
【特許文献５】特開２００４−３０９７４０号公報
【発明の開示】
【発明が解決しようとする課題】
【０００３】
カメラボディには電源をオンオフするための操作部材が設けられる。操作部材の配置される位置は、カメラの携帯時と撮影時とでは好ましい位置が異なる。例えば、携帯時においては操作部材がカメラケース等に接触してオンオフされてしまわないように、カメラボディから突出していないことが望ましい。一方、撮影時においては、操作部材はグリップの邪魔にならない位置やグリップに利用できる位置にあることが望ましい。従って、カメラの携帯性及びグリップ性の双方を向上させる位置に操作部材を設けることは困難であった。なお、電源のオンオフを切り替える操作部材をグリップに利用する技術は上述の先行技術では開示されていない。
【０００４】
本発明の目的は、カメラボディのホールド性を向上させることができる撮像装置を提供することにある。
【課題を解決するための手段】
【０００５】
本発明の撮像装置は、筐体と、前記筐体の上面且つ一方の側面側の略端部に配置されたレリーズボタンと、前記筐体の側面近傍に配置されると共に、該筐体の内部又は該筐体の凹部に略収納されて電源をオフする収納位置と該筐体の側面方向に突出して電源をオンする突出位置とに移動可能な電源オンオフ切換を行う可動部材と、前記可動部材の前記筐体の背面方向に設けられた該筐体の保持をするための第１の指載置部と、を備える。
【０００６】
好適には、前記第１の指載置部は、前記レリーズボタンを操作する際に操作者の指を載置することにより前記筐体の保持を補助可能である。
【０００７】
好適には、前記可動部材は、前記筐体に軸支され前記収納位置と前記突出位置とに回動可能である。
【０００８】
好適には、前記可動部材は、前記筐体の背面側に配置された前記凹部に略収納され、
前記凹部は、該筐体の保持をするための第２の指載置部を備える。
【０００９】
好適には、前記筐体の背面側であって、且つ、前記可動部材の突出方向の該筐体の側面に近接して配置した画像表示部を備え、前記画像表示部と該画像表示部が近接する前記筐体側面との間に前記可動部材の前記収納位置を配置する。なお、近接とは、撮影者の親指を置くスペースがない（置きにくい）ほど、側面側の近くに配置されていることをいう。
【００１０】
好適には、前記可動部材は、肉薄部と、前記肉薄部に連続して前記筐体の背面方向に突出した突出部と、前記突出部により形成した指掛け部と、を備える。
【００１１】
好適には、前記可動部材は、前記筐体の内部に略収納された前記収納位置と該筐体の側面方向に突出する前記突出位置とに出没可能であると共に、該突出位置にある該可動部材の突出方向と逆方向の押し込み操作により該可動部材を該収納位置に収納保持可能であり、該収納位置にある該可動部材の該逆方向の押し込み操作により該可動部材を該突出位置に突出保持可能である出没機構を備える。
【発明の効果】
【００１２】
本発明によれば、カメラボディのホールド性を向上させることができる。
【発明を実施するための最良の形態】
【００１３】
第１の実施形態
図１は、本発明の第１の実施形態のカメラ１の電源オン状態における外観を示す斜視図、図２（ａ）は電源オフ状態におけるカメラ１の外観を示す平面図、図２（ｂ）は電源オン状態におけるカメラ１の外観を示す平面図、図３は図２（ｂ）のＩＩＩ−ＩＩＩ線における断面図である。
【００１４】
図１に示すように、カメラ１は、例えば比較的小型のデジタルカメラとして構成され、横長薄型の直方体状のカメラボディ２を備えている。カメラボディ２は、撮像ユニット５が設けられる撮像側ボディ３と、表示部６が設けられる表示側ボディ４とを備えている。撮像側ボディ３と、表示側ボディ４とは、撮像ユニット５に含まれる撮像レンズ７の光軸に直交する方向であって表示部６に平行な方向（図１においてｘ軸方向）の軸周りに相対的に回転可能である。従って、ユーザは表示部６を視認しながら撮像側ボディ３を表示側ボディ４に対して回転させ、適宜な方向の被写体を撮影可能であり、例えば自分自身を撮影することも可能である。
【００１５】
なお、撮像側ボディ３は、撮像レンズ７の露出する撮影面３ｃから発光するストロボ８、各種操作ボタン等も備えている。表示部６は、例えば液晶表示装置により構成されている。
【００１６】
表示側ボディ４は、表示部６が背面４ｂに設けられ、表示側ボディ４内部側へ押し込み操作可能なレリーズボタン１１が上面４ｃに設けられている。そして、表示側ボディ４のレリーズボタン１１が設けられている側の端部はグリップ部Ｇとして機能する。すなわち、ユーザは、例えば中指、薬指、小指をグリップ部Ｇの前面側（図１の紙面奥手方向側）に、親指をグリップ部Ｇの背面４ｂ側に置いてカメラ１を把持しつつ、人差し指によりレリーズボタン１１を押し込み操作可能である。なお、グリップＧ側の側面４ｄは、カメラ１の側方外側へやや湾曲するように形成されている。
【００１７】
なお、表示側ボディ４の背面４ｂには、比較的広い範囲に亘って表示部６が設けられている（例えば背面４ｂの２／３程度）。また、背面４ｂの上方側にはメニューボタンやズームボタン等の各種のボタンが設けられている。従って、背面４ｂにおいてユーザが親指を置くことができるスペースは、比較的狭い範囲となっている。
【００１８】
グリップ部Ｇの背面４ｂ側には、上下方向（図１のｙ軸方向）の略中央位置に可動部材１０が設けられている。可動部材１０はカメラ１の電源スイッチを操作する操作部材と、ユーザが親指を置くスペースを拡大する部材とを兼ねるものである。
【００１９】
可動部材１０は、表示側ボディ４に対して回転可能に支持されており、電源をオフ状態とし、表示側ボディ４の背面側から見て側面４ｄからほとんど突出しない収納位置（図２（ａ）の位置）と、電源をオン状態とし、側面４ｄから突出する突出位置（図２（ｂ）の位置）との間で移動可能である。
【００２０】
可動部材１０は、表示側ボディ４の背面側から見た平面形状が略長方形になるように形成されている。可動部材１０の長手方向の一端は背面４ｂに直交する軸周りに回転可能に軸支されている。収納位置は、可動部材１０の長手方向が側面４ｄに沿うように設定され、突出位置は、可動部材１０の長手方向が側面４ｄに対して傾斜するように設定されている。なお、突出位置の可動部材１０と側面４ｄとの傾斜角度は例えば１０度〜４５度であり、可動部材１０の長手方向と側面４ｄとが直交するように突出位置を設定してもよい。
【００２１】
図１及び図３に示すように、可動部材１０は、突出位置に移動したときに後述する収納凹部１２側に位置する肉薄部１０ａと、収納凹部１２側とは反対側に位置する肉厚部１０ｂとを有している。具体的には、肉薄部１０ａは背面４ｂに平行な略長方形の平板状に形成され、肉厚部１０ｂは肉薄部１０ａに直交する略長方形の平板状に形成され、肉薄部１０ａ及び肉厚部１０ｂ全体として断面がＬ字に近いＴ字状に形成されている。換言すれば、可動部材１０には、突出位置に移動したときに収納凹部１２側とは反対側となる端部に、背面側に突出する突出部（指掛け部）と、前面側に突出する突出部とが設けられている。なお、可動部材１０は、肉厚部１０ｂと同じ厚さ（図１のｚ軸方向）で、表示側ボディ４に対して軸支される軸支部１０ｃも有している。可動部材１０は、例えば樹脂や金属により構成されている。肉薄部は１０ａの厚さは、親指を置いた際に、撮影者が気にならない厚さにすることが好ましい。
【００２２】
グリップ部Ｇには、収納位置にある可動部材１０を収納する収納凹部１２が設けられている。収納凹部１２は、可動部材１０が収納位置に保持されると、可動部材１０が嵌合するとともに、可動部材１０が表示側ボディ４の背面４ｂ及び側面４ｄから突出しない形状、大きさに形成されている。
【００２３】
具体的には、収納凹部１２は、背面４ｂと側面４ｄとが連続する縁部を切り欠くように形成されており、背面４ｂに対して凹となる背面側凹部１２ａ（第１の凹部）と、側面４ｄに対して凹となる側面側凹部１２ｂ（第２の凹部）とを有している。なお、側面側凹部１２ｂは、背面に対して凹であって背面側凹部１２ａよりも深いと捉えることもできる。背面側凹部１２ａ及び側面側凹部１２ｂはそれぞれ略直方体状の空所を有し、背面側凹部１２ａには主として肉薄部１０ａが嵌合し、側面側凹部１２ｂには主として肉厚部１０ｂが嵌合する。
【００２４】
また、図３に示すように、収納凹部１２の背面側凹部１２ａは、可動部材１０の肉薄部１０ａの前面側（図３の紙面下方側）から肉厚部１０ｂの背面側までの厚さｔ１と略同程度の深さを有している。収納凹部１２の側面側凹部１２ｂは、肉厚部１０ｂの側面４ｄに直交する方向（図３のｘ軸方向）の幅ｗ１と同程度の深さを有している。
【００２５】
可動部材１０が突出すると背面側凹部１２ａの底部の少なくとも一部は露出し、グリップ部Ｇの背面の一部を構成する。また、肉薄部１０ａは、肉薄部１０ａの軸支部１０ｃ側の一部が背面側凹部１２ａの底部と一部が重なるとともに、軸支部１０ｃとは反対側が背面側凹部１２ａの底部と重ならない程度に傾斜している。そして、背面側凹部１２ａの底部（第２の指載置部）及び肉薄部１０ａ（第１の指載置部）により、親指を置くスペースＳが確保される（図２（ｂ）参照）。
【００２６】
図４は、可動部材１０の取付構造等を示す分解斜視図であり、図５は可動部材１０付近における表示側ボディ４の内部構造を示す平面図であり、図５（ａ）は電源オフ状態を、図５（ｂ）は電源オン状態を示している。
【００２７】
可動部材１０は、軸支部１０ｃの孔部１０ｄに表示側ボディ４に設けられた軸部４ｅが挿通されることにより、表示側ボディ４に対して回転可能に支持されている。可動部材１０の移動範囲は、足部１０ｅが第１規制部４ｆ、第２規制部４ｇの間に挿入されることにより規制されている。
【００２８】
可動部材１０の足部１０ｅは、電源をオン状態とオフ状態との間で切り替える電源スイッチ１５を操作可能に設けられている。図５（ａ）に示すように、可動部材１０が収納位置にあるときには足部１０ｅは電源スイッチ１５から離間しており、電源オフ状態となっている。図５（ｂ）に示すように、可動部材１０が突出位置に移動すると、足部１０ｅにより電源スイッチ１５の可動接点１５ａが押し込まれ、可動接点１５ａと不図示の固定接点とが接触し、電源がオン状態となる。電源オン状態では、シャッタの駆動等に必要な電力がカメラ１に装着された不図示のバッテリからカメラ１の各種の装置に供給される。なお、電源は一次電源でも２次電源でもよい。
【００２９】
表示側ボディ４の内部には、可動部材１０の操作時にクリック感を生じさせるためのクリック機構Ｃが設けられている。クリック機構Ｃは、足部１０ｅの不図示の穴部に嵌合挿入されるコイル状の圧縮ばね１３と、足部１０ｅの不図示の穴部に一部が挿入され、ばね１３により軸部４ｅの方向に付勢されるスチールボール１４と、スチールボール１４に当接するプレート１６とを備えている。
【００３０】
プレート１６は例えばねじ１７により表示側ボディ４に対して固定され、スチールボール１４の直径よりも直径の小さい孔部１６ａ、１６ｂが設けられている。可動部材１０が収納位置と突出位置との間で移動すると、スチールボール１４もプレート１６に沿って移動する。この際、スチールボール１４はばね１３の付勢力によりプレート１６に当接している。可動部材１０が収納位置にあるときはスチールボール１４は孔部１６ａに一部が嵌り込み、可動部材１０が突出位置にあるときはスチールボール１４は孔部１６ｂに嵌り込む。スチールボール１４が孔部１６ａ、１６ｂに嵌り込むことによる可動部材１０の回転抵抗の変化によりクリック感が生じるとともに、可動部材１０の収納位置又は突出位置への位置保持がなされる。
【００３１】
以上の第１の実施形態によれば、可動部材１０を突出位置に移動させることで電源をオンさせることができ、また、突出位置にある可動部材１０に設けられた指載置部に親指を置くことで撮像装置の保持を補助可能である。
【００３２】
特に、レリーズボタン１１を操作する際に指載置部に操作者の親指を置くことで、撮影時における撮像装置の保持を好適に補助することができる。
【００３３】
前記可動部材１０はカメラボディ２に軸支され収納位置と突出位置とに回動可能であることから構造が簡易である。
【００３４】
可動部材１０は、カメラボディ２の背面側に配置された凹部１２に略収納され、凹部１２は、カメラボディ２の保持をするための指載置部を備えることから、可動部材１０の少ない移動で指を載置するスペースを得ることができる。
【００３５】
表示部６が側面４ｄ近傍に配置されている場合、指を載置できるスペースが必要である。また、逆に可動部材１０を設けることで表示部６を側面４ｄ近傍に配置することができる。
【００３６】
可動部材１０は、肉薄部１０ａと、肉薄部に連続してカメラボディ２の背面方向に突出した突出部（肉厚部１０ｂ）と、突出部により形成した指掛け部とを備えることから、第１の載置部に指を置いた状態で可動部材１０を移動させる場合に、この突出部１０ｂに指を掛けて可動部材１０を移動させることが可能である。
【００３７】
第２の実施形態
第２の実施形態において第１の実施形態と同様の構成については、第１の実施形態と同一符号を付して説明を省略する。第２の実施形態のカメラ２１も、図１に示した第１の実施形態のカメラ１と同様に、カメラボディ２、撮像側ボディ３、表示側ボディ４、撮像ユニット５、表示部６及びレリーズボタン１１等を備えている。ただし、第２の実施形態のカメラ２１は、可動部材１０に代えて、平行移動により収納位置と突出位置との間を移動する可動部材２２を備えている。
【００３８】
図６（ａ）は電源オフ状態における可動部材２２を示す平面図、図６（ｂ）は電源オン状態における可動部材２２を示す平面図である。
【００３９】
可動部材２２を収納する収納凹部２３には、可動部材２２を案内するガイド部２３ａが設けられ、可動部材２２にはガイド部２３ａに案内される被ガイド部２２ａが設けられている。これにより、可動部材２２は収納位置と突出位置との間を平行移動可能である。なお、可動部材３２が収納位置に移動することにより電源がオフされ、可動部材３２が突出位置に移動することにより電源がオンされることは第１の実施形態と同様である。
【００４０】
ガイド部２３ａ、被ガイド部２２ａの形状や位置は適宜であるが、例えば、ガイド部２３ａは、収納凹部２３のレリーズボタン１１側の面（図６の上方の面）及び当該面と対向する面（図６の下方の面）に設けられ、可動部材２２の移動方向に延びる溝部であり、被ガイド部２２ａは、これら溝部に挿入される突起部である。
【００４１】
可動部材２２の収納位置及び突出位置における位置保持は適宜な方法で行ってよい。例えば、第１の実施形態と同様にスチールボールに対して孔部が設けられたプレートが移動するクリック機構により位置保持してもよいし、ガイド部２３ａと被ガイド部２２ａとの摩擦力等を大きくすることにより収納位置及び突出位置に保持してもよい。後述する第３の実施形態のようにオルタネイト機構を設けてもよい。
【００４２】
収納凹部２３も、第１の実施形態と同様に、可動部材２２が突出位置に移動すると収納凹部２３の底部の少なくとも一部が露出する。収納凹部２３は、例えば、可動部材２２（肉厚部２２ｃ）の厚さと同程度の深さを有し、また、カメラ１の背面側から見た平面形状が可動部材２２と略同様の形状に形成されている。従って、可動部材２２が収納位置に保持されると、可動部材２２は表示側ボディ４に収納され、表示側ボディ４の背面４ｂ及び側面４ｄは略平坦になる。
【００４３】
可動部材２２は、突出位置に移動したときに収納凹部２３側に位置する肉薄部２２ｂと、収納凹部２３側とは反対側に位置し、肉薄部２２ｂよりも背面側に突出する肉厚部２２ｃとを有している。収納凹部２３の底部及び肉薄部２２ｂにより、親指を置くスペースＳが確保される。
【００４４】
以上の第２の実施形態によれば、第１の実施形態と同様の効果が得られる。
【００４５】
第３の実施形態
第３の実施形態において第１の実施形態と同様の構成については、第１の実施形態と同一符号を付して説明を省略する。第３の実施形態のカメラ３１も、図１に示した第１の実施形態のカメラ１と同様に、カメラボディ２、撮像側ボディ３、表示側ボディ４、撮像ユニット５、表示部６及びレリーズボタン１１等を備えている。ただし、第３の実施形態のカメラ３１は、可動部材１０に代えて、平行移動により収納位置と突出位置との間を移動する可動部材３２を備えている。
【００４６】
図７（ａ）は電源オフ状態における可動部材３２を示す平面図、図７（ｂ）は電源オン状態における可動部材３２を示す平面図である。
【００４７】
表示側ボディ４には、可動部材３２を収納する収納部３３が設けられている。収納部３３は側面４ｄに開口する開口部３３ａを有している。可動部材３２は収納部３３の開口部３３ａに嵌合挿入され、収納部３３に設けられた壁部（ガイド部）３３ｂに案内されて、収納位置と、収納位置よりも側面４ｄから突出する突出位置との間を移動可能である。なお、可動部材３２が収納位置に移動することにより電源がオフされ、可動部材３２が突出位置に移動することにより電源がオンされることは第１の実施形態と同様である。
【００４８】
カメラ３１は、突出位置から収納位置の方向への可動部材３２に対する押し込み動作により、可動部材３２の位置を収納位置と突出位置との間で切り替えるオルタネイト機構３５を表示側ボディ４の内部に更に備えている。なお、オルタネイト機構は出没機構の一例である。
【００４９】
図８（ａ）はオルタネイト機構３５の断面図、図８（ｂ）はオルタネイト機構３５の一部を示す平面図である。なお、図８（ｂ）において、図中上方が収納位置方向、図中下方が突出位置方向である。オルタネイト機構３５は、例えばハート状カム方式のオルタネイト機構により構成され、カムプレート３６と、カムプレートのカム溝３６ａに案内されるカムピン３７と、可動部材３２を付勢するばね（付勢手段）３８とを備えている。
【００５０】
カムプレート３６は、収納位置から突出位置の方向へ平行に配置され、カム溝３６ａはハートを描くように形成されている。カムピン３７は一端が可動部材３２に固定され、他端がカム溝３６ａに挿入されている。ばね３８は例えばコイル状の圧縮ばねにより構成され、可動部材３２を収納位置から突出位置の方向へ付勢している。
【００５１】
可動部材３２が収納位置にある場合には、カムピン３７が係止部３６ｂに係止され、可動部材３２は突出位置への移動が規制されている。可動部材３２に対して突出位置から収納位置の方向へ押し込み操作がなされると、カムピン３７は矢印ｙ１の方向へ移動する。その後、可動部材３２に対する押圧が解除されると、カムピン３７はばね３８の付勢力により矢印ｙ２の方向へ移動し、係止部３６ｃに係止される。つまり、可動部材３２は突出位置に保持される。この状態で可動部材３２に対して突出位置から収納位置の方向へ押し込み操作がなされると、カムピン３７は矢印ｙ３の方向に移動し、可動部材３２に対する押圧が解除されると、カムピン３７は矢印ｙ４の方向へ移動し、係止部３６ｂに係止される。つまり、可動部材３２は収納位置に保持される。
【００５２】
以上の第３の実施形態によれば、第１の実施形態と同様の効果が得られる。また、突出位置にある可動部材３２の突出方向と逆方向の押し込み操作により可動部材３２を収納位置に収納保持可能であり、収納位置にある可動部材３２の該逆方向の押し込み操作により可動部材３２を突出位置に突出保持可能であるオルタネイト機構３５を備えることにより、操作が容易である。
【００５３】
本発明は以上の実施形態に限定されず、種々の態様で実施してよい。
【００５４】
撮像装置はデジタルカメラに限定されず、例えば銀塩カメラであってもよい。カメラボディは、一側面側にグリップ部が設けられるものであればよく、撮像側ボディと表示側ボディとを有し、全体の形状が変化するものや、薄型横長の直方体形状に限定されない。例えば、カメラボディは一つの筐体からなるものでもよい。直方体よりも複雑な形状であってもよいし、曲面や傾斜面を有していてもよい。
【００５５】
なお、カメラボディの側面、グリップ部の背面、上面は、一般には、ユーザがカメラをグリップしたときに、ユーザの左右方向におけるカメラの端面を側面、カメラのユーザ側の面を背面、ユーザの頭上方向の面を上面と定義することができ、カメラの各種装置等のレイアウトから特定することが可能である。例えば、撮影時にユーザが被写体を視認するためのファインダ光学系の接眼レンズが設けられている側の面や、撮影時にユーザが被写体を視認するための液晶表示装置等の画面が設けられている側の面は背面として特定できる。また、例えば、背面に略直交するとともに、互いに略直交する２面があれば、いずれかを一方を上面、他方を側面として特定することができ、さらに、当該２面の一方にレリーズボタンが設けられていれば、当該レリーズボタンが設けられている側の面を上面、レリーズボタンが設けられていない面を側面として特定することができる。
【００５６】
収納位置及び突出位置は、収納位置よりも突出位置の方が、可動部材がグリップ部の側面から突出するものであればよい。換言すれば、可動部材が収納位置から突出位置へ移動することにより、親指を置くスペースが少しでも拡大すればよい。従って、例えば収納位置において、可動部材は側面から完全に突出しない状態にならなくてもよい。収納凹部は設けなくともよいし、可動部材に肉薄部と肉厚部とを設けなくともよい。
【００５７】
可動部材の上下位置は適宜に設定してよく、カメラボディの中央に限定されない。ユーザが親指を可動部材に置くとともに、人差し指でレリーズボタンを押し込み操作できればよい。従って、対象とするユーザの一般的な手の大きさ、カメラボディの大きさ等の諸条件に基づいて適宜に設定してよく、例えば、カメラボディが比較的小さければ比較的下方位置に、カメラボディが比較的大きければ比較的上方位置に設定してよい。
【００５８】
可動部材の移動は、収納位置と突出位置との間を移動できるものであればよい。例えば、上下（カメラボディの背面及び側面に平行）に延びる軸を中心に可動部材が回転移動するようにしてもよい。
【００５９】
可動部材を平行移動させるガイド部、被ガイド部は、可動部材を収納位置と突出位置との間で平行移動させることができればよく、適宜な位置、形状にしてよい。例えば、収納凹部の底部（カメラボディの背面側）にガイド部を設けてもよい。
【００６０】
可動部材はレリーズボタン側（右側面）に限定されない。例えば、可動部材を筐体の右側面に、レリーズボタンを筐体の左側面に配置してもよい。いずれにせよ、指の置き場が拡張され、筐体の保持を良好にする効果を奏しうる。ただし、可動部材をレリーズボタン側に配置することが望ましい。例えば片手で保持しつつレリーズボタンを操作できるからである。
【００６１】
オルタネイト機構は、可動部材の突出位置への保持と可動部材の収納位置への保持とを押し込み動作の度に切り替えるものであればよい。例えば、回転カム方式、ラチェットカム方式、ロック式のオルタネイト機構を用いてもよい。
【図面の簡単な説明】
【００６２】
【図１】本発明の第１の実施形態のカメラの外観斜視図である。
【図２】図１のカメラの外観を示す背面図である。
【図３】図２のＩＩＩ−ＩＩＩ線における断面図である。
【図４】図１のカメラの可動部材付近の内部構成を示す分解斜視図である。
【図５】図１のカメラの可動部材付近の内部構成を示す背面図である。
【図６】本発明の第２の実施形態のカメラの可動部材を示す背面図である。
【図７】本発明の第３の実施形態のカメラの可動部材を示す背面図である。
【図８】図７のカメラのオルタネイト機構を示す図である。
【符号の説明】
【００６３】
１…撮像装置、２…カメラボディ、１０…可動部材、１１…レリーズボタン、Ｇ…グリップ部。
【図１】
2006235393.tif 000003
【図２】
2006235393.tif 000004
【図３】
2006235393.tif 000005
【図４】
2006235393.tif 000006
【図５】
2006235393.tif 000007
【図６】
2006235393.tif 000008
【図７】
2006235393.tif 000009
【図８】
2006235393.tif 000010